(57)【要約】【課題】  通過帯域幅を広く取ることができ、スプリアス特性を向上させた帯域通過フィルタを提供する。【解決手段】  一方のＥ面８Ｂで分割可能な本体２及びカバー３と、本体２の内部に配置された複数のアイリス４と、カバー３より複数のアイリス４の少なくとも１つの直上に突出可能な少なくとも１つのスプリアス調整ビス９とを備える帯域通過フィルタ１。本体２の内部に突出する長さにより導波路の伝送周波数を調整する周波数調整ビス６、及び、本体の内部に突出する長さにより導波路の結合度を調整する結合度調整ビス７を設けることができる。複数のアイリス４は、Ｅ面８Ａと接触するようにしてもよく、両Ｅ面８Ａ、８Ｂに非接触とすることもできる。非接触とした場合には、導波路の中心線に対して非対称としてもよく、対称としてもよく、非対称のアイリス４と対称のアイリス４とを組み合わせることも可能である。【選択図】  図１
2005102046.tif 000002
【特許請求の範囲】
【請求項１】
一方のＥ面で分割可能な本体及びカバーと、
前記本体の内部に配置された複数のアイリスと、
前記カバーより前記複数のアイリスの少なくとも１つの直上に突出可能な少なくとも１つのスプリアス調整ビスとを備えることを特徴とする帯域通過フィルタ。
【請求項２】
前記本体の内部に突出する長さにより導波路の伝送周波数を調整する周波数調整ビスを備えたことを特徴とする請求項１記載の帯域通過フィルタ。
【請求項３】
前記本体の内部に突出する長さにより導波路の結合度を調整する結合度調整ビスを備えたことを特徴とする請求項１または２記載の帯域通過フィルタ。
【請求項４】
前記複数のアイリスを、前記本体及びカバーが分割可能なＥ面とは異なるＥ面に接触させたことを特徴とする請求項１、２または３記載の帯域通過フィルタ。
【請求項５】
前記複数のアイリスを、両Ｅ面に非接触とするとともに、前記導波路の中心線に対して非対称に配置したことを特徴とする請求項１、２または３記載の帯域通過フィルタ。
【請求項６】
前記複数のアイリスを、両Ｅ面に非接触とするとともに、前記導波路の中心線に対して対称に配置したことを特徴とする請求項１、２または３記載の帯域通過フィルタ。
【請求項７】
前記複数のアイリスを、前記本体及びカバーが分割可能なＥ面とは異なるＥ面に接触させたもの、両Ｅ面に非接触とするとともに前記導波路の中心線に対して非対称に配置したもの、及び両Ｅ面に非接触とするとともに前記導波路の中心線に対して対称に配置したものから選択される少なくとも２つで構成したことを特徴とする請求項１、２または３記載の帯域通過フィルタ。
【発明の詳細な説明】
【技術分野】
【０００１】
本発明は、帯域通過フィルタに関し、特に、マイクロ波伝送路に用いられ、誘導性窓により帯域通過特性を得る帯域通過フィルタに関する。
【背景技術】
【０００２】
従来のマイクロ波伝送路に用いられる帯域通過フィルタには、誘導性窓により帯域通過特性を得るものがある。この帯域通過フィルタの一例として、例えば、特許文献１に記載の帯域通過フィルタは、図５に示すように、一方のＥ面２８Ｂで２分割可能な本体２２及びカバー２３と、他方のＥ面２８Ａで片側が短絡されたアイリス（導体板）２４により仕切られた空間（共振器）２５とで構成される。
【０００３】
このように構成された帯域通過フィルタ２１は、アイリス２４とカバー２３とが完全に非接触構造であるため、安定した電気特性が得られる。さらに、図６に示すように、上記帯域通過フィルタ２１に、周波数調整ビス２６や結合度調整ビス２７を設けることにより、所望の特性に調整することができる。
【０００４】
【特許文献１】特許第３０２５９３０号公報
【発明の開示】
【発明が解決しようとする課題】
【０００５】
しかし、上記従来の帯域通過フィルタ２１においては、カバー２３とアイリス２４との開口部（隙間）が基本波のすぐ上のモードであるＴＥ20モードが通過可能な程広くなるため、高域でスプリアス特性が劣化するという問題があった。この問題は、特に、通過帯域幅が広い時により顕著になる。ここで、ＴＥ20モードが通過し難い程度までこの開口部を狭くすると、通過帯域幅を広く取ることができないという問題があった。一方、通過帯域幅を広げると、上記開口部がより広くなるため、スプリアスが発生しやすくなるという問題があった。
【０００６】
そこで、本発明は、上記従来の帯域通過フィルタにおける問題点に鑑みてなされたものであって、通過帯域幅を広く取ることができるとともに、スプリアス特性を向上させた帯域通過フィルタを提供することを目的とする。
【課題を解決するための手段】
【０００７】
上記目的を達成するため、本発明は、帯域通過フィルタであって、一方のＥ面で分割可能な本体及びカバーと、前記本体の内部に配置された複数のアイリスと、前記カバーより前記複数のアイリスの少なくとも１つの直上に突出可能な少なくとも１つのスプリアス調整ビスとを備えることを特徴とする。
【０００８】
そして、本発明によれば、Ｅ面側より導波管内にスプリアス調整ビスを挿入することにより、導波管端の開口部を等価的に小さくすることができ、同一通過帯域幅で比較すると高調波を通過させにくくすることが可能となる。
【０００９】
また、前記本体の内部に突出する長さにより導波路の伝送周波数を調整する周波数調整ビスや、前記本体の内部に突出する長さにより導波路の結合度を調整する結合度調整ビスを設けることができる。
【００１０】
さらに、前記複数のアイリスを、前記本体及びカバーが分割可能なＥ面とは異なるＥ面に接触させてもよく、前記アイリスを、両Ｅ面に非接触とすることもできる。
【００１１】
前記複数のアイリスを、両Ｅ面に非接触とすると、開口部を両側に分割することができるため、各々の開口部を小さくすることができ、同一通過帯域幅で比較した場合に高調波が通過し難くなり、スプリアス特性を向上させることができる。この場合、複数のアイリスを前記導波路の中心線に対して非対称または対称に配置することができる。
【００１２】
また、前記複数のアイリスを、前記本体及びカバーが分割可能なＥ面とは異なるＥ面に接触させたもの、両Ｅ面に非接触とするとともに前記導波路の中心線に対して非対称に配置したもの、及び両Ｅ面に非接触とするとともに前記導波路の中心線に対して対称に配置したものから選択される少なくとも２つで構成することもできる。
【発明の効果】
【００１３】
以上説明したように、本発明によれば、通過帯域幅を広くすることができ、かつ、スプリアス特性を向上させた帯域通過フィルタを提供することができる。
【発明を実施するための最良の形態】
【００１４】
図１及び図２は、本発明にかかる帯域通過フィルタの一実施の形態を示し、この帯域通過フィルタ１は、導電材からなり、両側面が開口した本体２と、一方のＥ面８Ｂで分割可能に構成されるとともに、本体２の開口を覆う導電材からなるカバー３と、本体２に一体に形成され、Ｅ面８Ａ及び両Ｈ面１０Ａ、１０Ｂに接触し、前記Ｅ面８Ｂと非接触のアイリス４とを備え、共振器５が複数個連続して形成される。
【００１５】
また、この帯域通過フィルタ１は、本体２の内部に突出する長さにより導波路の伝送周波数を調整することのできる複数の周波数調整ビス６と、本体２の内部に突出する長さにより導波路の結合度を調整することのできる複数の結合度調整ビス７を備える。これらによって、帯域通過フィルタ１を所望の特性に調整することができる。尚、図示した周波数調整ビス６及び結合度調整ビス７は、すべて必要とは限らず、必要な箇所にのみ配置することができる。
【００１６】
さらに、この帯域通過フィルタ１は、カバー３よりアイリス４の直上にスプリアス調整ビス９を備える。このスプリアス調整ビス９を設けたのが本発明の特徴である。このスプリアス調整ビス９によって、スプリアスを減衰させ、かつ調整することが可能となる。このスプリアス調整ビス９は、所望の特性により本数を削減することができる。
【００１７】
次に、上記構成を有する帯域通過フィルタ１の動作について説明する。
【００１８】
この帯域通過フィルタ１と、図６に示した従来の帯域通過フィルタ２１とは、スプリアス調整ビス９以外の構成は同じである。そのため、基本的な動作もまた同一である。しかしながら、従来の帯域通過フィルタ２１では、アイリス２４が片側のＥ面２８Ａに接触しているため、開口部は一端に集中して広くなっている。一方、本発明にかかる帯域通過フィルタ１では、スプリアス調整ビス９をＥ面８Ｂ側より導波管内に挿入することにより、開口部を等価的に小さくすることが可能である。このため、スプリアスがこの開口部を通過しにくくなっている。
【００１９】
一例として、従来技術及び本発明各々の帯域通過フィルタの１８ＧＨｚ帯の広帯域通過特性を図３に示す。尚、同図に示す本発明にかかる帯域通過フィルタ１の波形は、スプリアス調整ビス９を２本使用した場合のものであるが、スプリアス特性の改善を確認することができる。また、スプリアス調整ビス９の本数が多い程、その効果が大きくなる。
【００２０】
図４は、本発明にかかる帯域通過フィルタの他の実施の形態を示し、この帯域通過フィルタ１１は、導電材からなり、両側面が開口した本体１２と、両Ｅ面１８Ａ、１８Ｂで分割可能に構成されるとともに、本体１２の開口を覆う導電材からなるカバー１３（１３Ａ、１３Ｂ）と、本体１２に一体に形成され、両Ｈ面２０Ａ、２０Ｂに接触し、両Ｅ面１８Ａ、１８Ｂと非接触のアイリス１４とを備え、共振器１５が複数個連続して形成される。
【００２１】
また、この帯域通過フィルタ１１にも、上記図１に示した帯域通過フィルタ１と同様に、周波数調整ビス６と、結合度調整ビス７と、スプリアス調整ビス１９が設けられ、帯域通過フィルタ１１を所望の特性に調整することができるとともに、スプリアスを減衰させ、かつ調整することが可能となる。
【００２２】
この帯域通過フィルタ１１は、アイリス１４が両Ｅ面１８Ａ、１８Ｂと非接触であることから、開口部を両側に分割することができるため、各々の開口部を小さくすることができ、同一通過帯域幅で比較した場合に高調波が通過し難くなる。これによって、スプリアス特性をさらに向上させることができる。
【００２３】
尚、図４の帯域通過フィルタ１１では、アイリス１４を対称となるように導波管中央部に配置しているが、このアイリス１４が両Ｅ面１８Ａ、１８Ｂに接触しない条件下であれば、非対称に配置することも可能である。また、これらアイリス１４の対称配置と非対称配置とを組み合わせることも可能であり、さらに、図１のアイリス４の非対称構造と、図４のアイリス１４の対称構造とを組み合わせることもできる。また、図４においては、スプリアス調整ビス１９がＥ面１８Ｂ側に設けられているが、Ｅ面１８Ａ側に設けることも可能である。
【図面の簡単な説明】
【００２４】
【図１】本発明にかかる帯域通過フィルタの一実施の形態を示す図であって、（ａ）はカバーを外した状態を示す正面図、（ｂ）は縦断面図である。
【図２】図１の帯域通過フィルタの分解斜視図である。
【図３】本発明にかかる帯域通過フィルタと従来の帯域通過フィルタの特性を比較したグラフである。
【図４】本発明にかかる帯域通過フィルタの他の実施の形態を示す図であって、（ａ）はカバーを外した状態を示す正面図、（ｂ）は縦断面図である。
【図５】従来の帯域通過フィルタの一例を示す図であって、（ａ）はカバーを外した状態を示す正面図、（ｂ）は縦断面図である。
【図６】従来の帯域通過フィルタの一例を示す図であって、（ａ）はカバーを外した状態を示す正面図、（ｂ）は縦断面図である。
【符号の説明】
【００２５】
１      帯域通過フィルタ
２      本体
３      カバー
４      アイリス（導体板）
５      空間（共振器）
６      周波数調整ビス
７      結合度調整ビス
８（８Ａ、８Ｂ）        Ｅ面
９      スプリアス調整ビス
１０（１０Ａ、１０Ｂ）  Ｈ面
１１    帯域通過フィルタ
１２    本体
１３（１３Ａ、１３Ｂ）  カバー
１４    アイリス（導体板）
１５    空間（共振器）
１６    周波数調整ビス
１７    結合度調整ビス
１８（８Ａ、８Ｂ）      Ｅ面
１９    スプリアス調整ビス
２０（１０Ａ、１０Ｂ）  Ｈ面
【図１】
2005102046.tif 000003
【図２】
2005102046.tif 000004
【図３】
2005102046.tif 000005
【図４】
2005102046.tif 000006
【図５】
2005102046.tif 000007
【図６】
2005102046.tif 000008